(57)【要約】      （修正有）【課題】直立できない嬰児や、直立できる子供と成人の体重・身長を測定可能な、コンパクトで、コストが低廉で、家庭での使用に便利な体重計を提供する。【解決手段】体重計本体１上には荷重受けパネルが設置されており、前記荷重受けパネルは畳み/展開が可能な下荷重受けパネル３と上荷重受けパネル２によって構成されており、下荷重受けパネル３は体重計本体の非中心位置の回転軸中心位置によって体重計本体１と連結されるか、或いはレールによって体重計本体１と連結される。安全且つ便利に横状態になっている嬰児の体重と身長を測定することができ、コンパクトであるので一般家庭に使われる場合の放置空間問題を解決することができ、嬰児が大きくなって直立できる場合は、子供から成人までの体重・身長を測定することができ、資源の浪費を最大限に防ぐことができる。【選択図】図１
0003148777.tif 000002
【実用新案登録請求の範囲】
【請求項１】
体重計本体上には荷重受けパネルが設置されており、前記荷重受けパネルは畳み/展開の可能な下荷重受けパネルと上荷重受けパネルによって構成されており、前記下荷重受けパネルは体重計本体の非中心位置にある回転軸中心位置によって、前記体重計本体と連結されることを特徴とする体重計本体を含む、体重計。
【請求項２】
請求項1において、前記荷重受けパネルは伸縮可能な構造となっていることを特徴とする体重計。
【請求項３】
体重計本体上には荷重受けパネルが設置されており、前記荷重受けパネルは畳み/展開の可能な下荷重受けパネルと上荷重受けパネルによって構成されており、前記下荷重受けパネルはレールによって、前記体重計本体と連結されることを特徴とする体重計本体を含む体重計。
【請求項４】
請求項3において、前記荷重受けパネルは伸縮可能な構造となっていることを特徴とする体重計。
【請求項５】
請求項1又は2において、前記体重計本体に置かれる荷重受けパネル部分は正方形となっていることを特徴とする体重計。
【請求項６】
請求項5において、前記回転軸中心位置は前記正方形の体重計本体上に置かれる前記荷重受けパネル部分の対称軸線分の1/4箇所に位置されることを特徴とする体重計。
【請求項７】
請求項3又は4において、前記体重計本体上に置かれる前記荷重受けパネル部分は正方形となっていることを特徴とする体重計。
【請求項８】
請求項1、2、3又は4において、前記展開後の荷重受けパネル上、嬰児の頭部が置かれる一端にはフレキシブル頭当てが設置されていることを特徴とする体重計。
【請求項９】
請求項1、2、3又は4において、前記展開後の荷重受けパネル上両側の嬰児の肘部分が置かれる位置には、それぞれ突き出し部分が設置されていることを特徴とする体重計。
【請求項１０】
請求項1、2、3又は4において、前記展開後の荷重受けパネル上、嬰児の足部分が置かれる一端には足当てが設置されていることを特徴とする体重計。
【請求項１１】
請求項1、2、3又は4において、展開後の前記荷重受けパネルの嬰児の頭部が置かれる一端には基準板が設置されており、展開後の前記荷重受けパネルの嬰児の足部分が置かれる一端には荷重受けパネルの縦方向に沿って往復に滑り移動できる標尺が設置されており、前記荷重受けパネルの表面には縦方向に沿って目盛りが表示されていることを特徴とする体重計。
【請求項１２】
請求項1、2、3又は4において、荷重受けパネルの嬰児の足部分が置かれる一端にはロングパネルが設置されており、前記ロングパネル上には前記荷重受けパネルの縦方向に沿って前記荷重受けパネルと連続した目盛りが表示されており、前記荷重受けパネルと前記ロングパネル上には荷重受けパネルの縦方向に沿って往復に滑り移動できる標尺が設置されていることを特徴とする体重計。
【請求項１３】
請求項12において、前記ロングパネルの下にはロングパネルと荷重受けパネルの水平を保たせる支えロッドが設置されていることを特徴とする体重計。
【請求項１４】
請求項1、2、3又は4において、前記荷重受けパネルを展開した後、体重計本体から遠く離れた側の縁には支えロッドが設置されていることを特徴とする体重計。
【請求項１５】
請求項1、2、3又は4において、前記体重計の本体上には垂直方向の身長測定器が設置されていることを特徴とする体重計。
【考案の詳細な説明】
【技術分野】
【０００１】
本考案は体重計に関するものである。
【背景技術】
【０００２】
経済条件が絶えず改善されるにつれ、ベビー成長時の監護は、ますます人々から注目されるようになっている。特に嬰児段階の体重及び身長の伸びは非常に速いので、嬰児の体重・身長をリアルタイムに測定するということは、嬰児の健康な成長の保証にとって非常に重要である。
【０００３】
目下、身長・体重の測定に使われている器具は、主に次の特徴を持っている。
1．横姿勢測定器は一般的に嬰児に使われるが、比較的大きな竿秤の秤量器で体重だけを測定している。これらの器具は安全性の改善も必要であり、体積が大きいため、一般的に病院などで使われているが、一般家庭には普及できず、この他、身長測定器を使って単独で身長を測定しなければならない。体重と身長を同時に測定できる専門の器具もあるが、これらの器具は体積が大きく、測定範囲が狭いので、嬰児が少々大きい場合でも身長と体重を効果的に測定することができず、値段も高い。そのため、やはり病院などにて使われており、一般家庭には普及できない。家庭で使えるといっても、嬰児が大きくなって、立てるようになると使うことができなくなり、大きな資源の浪費が生じてしまう。
【０００４】
立位測定器は、一般的に直立できる子供と成人に使われているが、通常は体重計で単独に体重を測定し、各種ルーラー類ツールで単独に身長を測定している。病院及び一部の専門分野では身長と体重を同時に測定できる器具を多く使っているが、これらの器具は体積が大きいため、家庭には普及できなく、安全且つ効果的に嬰児の体重・身長を測定する方法ではない。
【考案の開示】
【考案が解決しようとする課題】
【０００５】
本考案によって解決しようとする技術問題は、直立できない嬰児の体重・身長を同時に測定するとともに、直立できる子供と成人の体重・身長を測定することもできる、コンパクトで、コストが低廉で、家庭での使用に便利である体重計を提供することである。
【課題を解決するための手段】
【０００６】
上記技術問題を解決するために、本考案体重計には、体重計本体があり、前記体重計本体には荷重受けパネルが設置されており、前記荷重受けパネルは畳み/展開ができる下荷重受けパネルと上荷重受けパネルによって構成されており、前記下荷重受けパネルは体重計本体の非中心位置を回転軸として前記体重本体と連結されていることを問題の解決方法としている。
【０００７】
本考案の体重計において、前記荷重受けパネルは伸縮可能な構造となっていることを改良内容とする。
【０００８】
本考案の体重計において、前記体重計本体に置かれている前記荷重受けパネル部分は正方形となっており、前記回転軸の位置は前記体重計本体に置かれている正方形荷重受けパネルの対称軸線分の1/4箇所にあることを改良内容とする。
【０００９】
本考案体重計において、展開後の前記荷重受けパネルの嬰児頭部が置かれる一端には基準板があり、展開後の前記荷重受けパネルには嬰児の足部分が置かれる一端には荷重受けパネルの縦方向に沿って往復に滑り移動できる標尺があり、前記荷重受けパネルの表面には縦方向に沿って目盛りが表示されていることを改良内容とする。
【００１０】
本考案の体重計において、前記体重計の本体には縦方向に沿って身長測定器が設置されていることを改良内容とする。
【００１１】
上記技術問題を解決するために、本考案体重計には、体重計本体があり、前記体重計本体には荷重受けパネルが設置されており、前記荷重受けパネルは畳み/展開ができる下荷重受けパネルと上荷重受けパネルによって構成されており、前記下荷重受けパネルはレールによって前記体重計本体と連結されていることを問題の解決方法としている。
【００１２】
本考案の体重計において、前記荷重受けパネルは伸縮可能な構造となっていることを改良内容とする。
【００１３】
本考案体重計において、展開後の前記荷重受けパネルの嬰児頭部が置かれる一端には基準板があり、展開後の前記荷重受けパネルには嬰児の足部分が置かれる一端には荷重受けパネルの縦方向に沿って往復に滑り移動できる標尺があり、前記荷重受けパネルの表面には縦方向に沿って目盛りが表示されていることを改良内容とする。
【００１４】
本考案の体重計において、前記体重計の本体には縦方向に沿って身長測定器が設置されていることを改良内容とする。
【考案の効果】
【００１５】
本考案は横姿勢状態の嬰児の身長と体重を安全且つ正確に測定することができ、そのコンパクトな構造によって、一般家庭にて使われる場合の放置空間問題も解決できる。嬰児が大きくなって直立状態で測定する場合は、子供乃至成人の体重・身長も測定することができるので、資源の浪費を最大限に防ぐことができる。
【考案を実施するための最良の形態】
【００１６】
図1に示された通り、本考案体重計には、体重計本体1が含まれており、前記体重計本体1上には荷重受けパネルが設置されており、前記荷重受けパネルは畳み/展開ができる下荷重受けパネル3と上荷重受けパネル2によって構成されており、上荷重受けパネル2と下荷重受けパネル3は蝶番によって連結されている。直立できる子供と成人が体重を量る場合は、前記の畳んでいる荷重受けパネル上に直接立つと、体重計本体1は体重のデータを表示することができる。
【００１７】
直立できない嬰児の体重を量る場合は、前記荷重受けパネルを展開する必要がある。これを実現するために、回転式構造を採用することができる。図2に示された通り、前記体重計本体1に置かれる前記荷重受けパネル部分は正方形にすることができ、前記荷重受けパネル3は体重計本体に置かれる前記荷重受けパネルの非中心位置を回転軸中心位置51として、体重計本体1と連結されている。前記回転軸中心位置51は前記正方形体重計本体1に置かれる前記荷重受けパネル部分の対称軸線分の1/4の箇所に入ることができる。前記正方形体重計本体1に置かれる前記荷重受けパネル部分の対称軸は4本あるが、対角線の通る2本の直線と辺に垂直する2本の直線が含まれており、前記対称軸線分は2本の対角線と他の2本の辺に垂直する直線上において正方形の両対辺間の線分となっている。前記荷重受けパネルは前記回転軸中心位置51を中心として回転することができ、畳んでいる上荷重受けパネルと下荷重受けパネルを展開することができる。展開された荷重受けパネルの重心は前記体重計本体の中心に位置している。例えば、図2の通り、前記回転軸中心位置51は前記体重計本体の対角線の左上側の1/4箇所に位置されており、前記下荷重受けパネル3は前記回転軸中心位置51を中心として右回りに90°回転して、上荷重受けパネル2は図4に示された通り、矢印CDの方向に展開され、荷重受けパネル全体が展開された後、前記体重計本体の真上に位置されるようにする。これによって、コンパクトな体重計の上には充分な面積の荷重受けパネルが形成され、直立できない嬰児がその上に横になることができる。前記回転軸中心位置51が辺に垂直する対称軸線分の1/4箇所に位置している場合は荷重受けパネルを回転軸中心位置51を中心として180度回転し、さらに展開することができる。
【００１８】
直立できない嬰児の体重を量るために、前記荷重受けパネルを展開するには、レール構造を採用することもできる。図3に示された通り、前記下荷重受けパネル3はレール52によって、前記体重計本体1と連結されており、前記荷重受けパネルは前記レール52上で、図3中の矢印ABの通り、往復に平行移動することができる。
【００１９】
荷重受けパネルを展開する必要がある場合は、荷重受けパネルを先ず前記体重計本体1の一側に平行移動させてから、図4の矢印CDに示された通り、上荷重受けパネルを開き、2枚の荷重受けパネルを前記体重計本体上に平らに展開させて、嬰児をその上に寝かせたまま体重を量ることができる。
【００２０】
図5に示された通り、もっと正確な測定と、被測定嬰児をもっと快適にさせるために、展開後の前記荷重受けパネルには、嬰児の頭部が置かれる一端にはフレキシブル頭部当て6が設置されており、嬰児の腕が地面に落ちて測定の精度に影響をもたらすのを防ぐために、本考案の前記展開後の荷重受けパネル両側の嬰児の肘部分が置かれる位置には突き出し部分7が設置されており、該突き出し部分７上に嬰児の腕をのせて、嬰児の腕が地面に落ちることが防げる。前記荷重受けパネルの嬰児の足部分が置かれる一端には足当て8が設置されており、嬰児の足部分を高く持ち上げて、身長の長すぎる嬰児の足が地面に落ちて測定の精度に影響をもたらすことが防げる。
【００２１】
嬰児の身長を測る場合、体重計は図6に示された通り、展開後の前記荷重受けパネルの嬰児の頭部が置かれる一端には基準板9が設置されており、嬰児の頭部を同基準板9にしっかりと当てて、展開後の前記荷重受けパネルの嬰児の足部分が置かれる一端には荷重受けパネルの縦方向に沿って往復の滑り移動のできる標尺10が設置されており、前記荷重受けパネルの表面には縦方向に沿って目盛りが表示されており、前記標尺10を嬰児の足部分に移動させてから、標尺10の位置する荷重受けパネル上の目盛りによって、嬰児の身長を知ることができる。
【００２２】
取り付けと使用上の利便性のために、前記頭当て6や、突き出し部分7、及び基準板9は、一体に結合することができる。
【００２３】
嬰児の身長が長すぎる場合、本考案の荷重受けパネルは伸縮可能な構造を採用することもでき、未展開状態は図7に示された通りで、展開後の状態は図8に示された通りである。荷重受けパネルは、図8の矢印EF方向に沿って伸縮することができる。展開後の前記荷重受けパネルにおいて嬰児の頭部が置かれる一端には基準板が設置されており、展開後の前記荷重受けパネルにおいて嬰児の足部分が置かれる一端には荷重受けパネルの縦方向に沿って往復に滑り移動できる標尺10が設置されており、前記荷重受けパネルの表面には縦方向に沿って目盛りが表示されており、伸縮可能な荷重受けパネルが展開されると、露出部分の上表面には荷重受けパネル表面と連続した目盛りが表示されている。例えば、荷重受けパネルの未展開状態の場合、標尺は最大目盛り60cmまで移動できるが、伸縮可能な荷重受けパネルが展開されると、荷重受けパネルに露出される目盛りは60cmから連続に増加されるが、伸縮構造を全部展開させて、標尺の荷重受けパネル上の目盛りを読み取ることができる。この読み取った目盛りと荷重受けパネルの展開された長さを加えると嬰児の身長が得られる。
【００２４】
図8に示された通り、前記荷重受けパネルの展開後、体重計本体から遠く離れた一端の下方には支えロッド12が設置されており、嬰児の身長を測定する場合に荷重受けパネルの水平を保つようにする。
【００２５】
身長の比較的長い嬰児の体重を量る場合も伸縮構造を展開することができ、測定の精度を保証するために、閉め/開きの可能な支えロッド12を矢印Hと矢印Iの方向に起こして、測定データの精度を保証する。
【００２６】
嬰児の身長が長すぎる場合、本考案にもう1種の構造を採用することもできる。つまり、前記荷重受けパネルの嬰児の足部分が置かれる一端にロングパネル11を連結するものであり、図9に示された通りである。前記ロングパネルには、縦方向に沿って前記荷重受けパネル上の目盛りと連続した目盛りが表示されており、前記荷重受けパネルと前記ロングパネル上には荷重受けパネルの縦方向に沿って往復の滑り移動ができる標尺があって、嬰児の身長測定に使われる。また、前記ロングパネル11の下にはロングパネルと荷重受けパネルとの水平を保たせる支えロッド12が設置されている。
【００２７】
また、直立できる子供と成人の身長を測定する場合、図1に示された通り、体重計本体上には身長測定器の取り付け箇所4が設置されており、垂直方向の身長測定器13はこの所に取り付けられており、図7に示された通り、直立できる子供と成人の身長を測定することができる。同身長測定器は伸縮・引き出し式構造となっているので、放置空間を最大限に節減することができる。
【００２８】
本考案中、前記フレキシブル頭当て6や、突き出し部分7、足当て8、基準板9、標尺10、ロングパネル11、及び身長測定器13などは、いずれも取り外しの可能なパーツであり、これによって、体重計はコンパクトになり、家庭での使用と預かりに便利となる。
【産業上の利用可能性】
【００２９】
既存の体重計には、病院にて使用されている比較的専門的で体積の大きな嬰児の体重・身長を量る体重計や、直立できる人のためにデザインされた体重計などが含まれているが、直立できない嬰児の身長と体重が測定できると同時に、直立できる子供及び成人の身長と体重が測定できるコンパクトな体重計はない。本考案は上記問題の解決を目的としており、本考案中では畳み/展開の可能な荷重受けパネル構造を利用して、本考案によって提供される体重計が多種の人らに使用されるようにしている。本考案に記載されている製品はすでに生産を開始しており、本考案は実際に工業生産中に応用されている。
【図面の簡単な説明】
【００３０】
【図１】本考案体重計の全体を示した略図である。
【図２】本考案体重計本体と回転式構造を採用した荷重受けパネルを分離した後の構造を示した略図である。
【図３】本考案体重計本体とレール式構造を採用した荷重受けパネルを分離した後の構造を示した略図である。
【図４】本考案体重計の荷重受けパネルを展開した略図である。
【図５】本考案体重計に設置されたフレキシブル頭当てと足当ての略図である。
【図６】本考案体重計の嬰児身長測定に使われる場合の略図である。
【図７】本考案体重計の荷重受けパネルの伸縮構造を示した略図である。
【図８】本考案体重計の荷重受けパネルの伸縮構造を示した略図である。
【図９】本考案体重計にロングパネルを取り付けた場合の略図である。
【図１０】本考案体重計に身長測定器を取り付けた場合の略図である。
【符号の説明】
【００３１】
1…体重計本体  2…上荷重受けパネル  3…下荷重受けパネル  
4…身長測定器の取り付け箇所  51…回転軸中心位置  52…レール  
6…フレキシブル頭当て  7…突き出し部分  8…足当て  9…基準板  10…標尺  
11…ロングパネル  12…支えロッド  13…身長測定器  
【図１】
0003148777.tif 000003
【図２】
0003148777.tif 000004
【図３】
0003148777.tif 000005
【図４】
0003148777.tif 000006
【図５】
0003148777.tif 000007
【図６】
0003148777.tif 000008
【図７】
0003148777.tif 000009
【図８】
0003148777.tif 000010
【図９】
0003148777.tif 000011
【図１０】
0003148777.tif 000012